(57)【要約】【課題】紙葉の高速での計数に加えて、紙葉を計数しつつ一枚ずつ目視確認することが容易に可能となる紙葉計数機の提供。【解決手段】ホッパ１に投入された紙葉を１枚ずつ分離して繰り出し搬送して排出する繰出搬送手段３３と、繰出搬送手段３３で排出された紙葉を目視可能に受け入れる受入手段８と、繰出搬送手段３３で移動中の紙葉を計数する計数手段５ａ，５ｂと、操作手段への操作入力に基づいて、繰出搬送手段３３による受入手段８への紙葉の排出の時間間隔を第１の排出時間間隔とする通常モードと第１の排出時間間隔よりも長い第２の排出時間間隔とする低速モードとから選択して実行する選択手段とを備える。【選択図】図１
2015103024.tif 000002
【特許請求の範囲】
【請求項１】
ホッパに投入された紙葉を１枚ずつ分離して繰り出し搬送して排出する繰出搬送手段と、
該繰出搬送手段で排出された紙葉を目視可能に受け入れる受入手段と、
前記繰出搬送手段で移動中の紙葉を計数する計数手段と、
を備える紙葉計数機であって、
操作手段への操作入力に基づいて、前記繰出搬送手段による前記受入手段への紙葉の排出の時間間隔を第１の排出時間間隔とする通常モードと前記第１の排出時間間隔よりも長い第２の排出時間間隔とする低速モードとから選択して実行する選択手段を備えることを特徴とする紙葉計数機。
【請求項２】
前記低速モードが選択された状態で、前記操作手段への操作入力に基づいて、前記第２の排出時間間隔を段階的に短くまたは長く切り換える切換手段を備えることを特徴とする請求項１に記載の紙葉計数機。
【請求項３】
前記切換手段は、前記低速モードでの前記繰出搬送手段による紙葉の繰り出し搬送中であっても、前記操作手段への操作入力に基づいて、前記第２の排出時間間隔を段階的に短くまたは長く切り換え可能であることを特徴とする請求項２に記載の紙葉計数機。
【請求項４】
前記低速モードでの前記繰出搬送手段による紙葉の繰り出し搬送中に、前記操作手段への操作入力に基づいて、前記繰出搬送手段による紙葉の繰り出し搬送を一旦停止させる停止手段を備えることを特徴とする請求項１から３のいずれか一項に記載の紙葉計数機。
【請求項５】
前記低速モードでの前記繰出搬送手段の動作条件を記憶する記憶手段を有することを特徴とする請求項１から４のいずれか一項に記載の紙葉計数機。
【請求項６】
前記低速モードが選択された状態では、低速モードである旨と前記第２の排出時間間隔に相当する情報とを表示する表示手段を備えることを特徴とする請求項１から５のいずれか一項に記載の紙葉計数機。
【請求項７】
前記繰出搬送手段は、前記ホッパに投入された紙葉を１枚ずつ分離して繰り出す繰出手段と、該繰出手段により繰り出された紙葉を搬送して前記受入手段に排出する搬送手段とを有し、
前記選択手段は、前記通常モードが選択されると、前記繰出手段により前記ホッパから紙葉を１枚ずつ分離して繰り出す繰り出しの時間間隔を第１の繰出時間間隔とするとともに前記搬送手段による紙葉の搬送の速度を第１の搬送速度とする一方、前記低速モードが選択されると、前記繰り出しの時間間隔を前記第１の繰出時間間隔よりも長い第２の繰出時間間隔とするとともに、前記搬送の速度を前記第１の搬送速度よりも遅い第２の搬送速度とすることを特徴とする請求項１から６のいずれか一項に記載の紙葉計数機。
【請求項８】
前記繰出搬送手段は、前記ホッパに投入された紙葉を１枚ずつ分離して繰り出す繰出手段と、該繰出手段により繰り出された紙葉を搬送して前記受入手段に排出する搬送手段とを有し、
前記選択手段は、前記通常モードが選択されると、前記繰出手段により前記ホッパから紙葉を１枚ずつ分離して繰り出す繰り出しの時間間隔を第１の繰出時間間隔とする一方、前記低速モードが選択されると、前記繰り出しの時間間隔を前記第１の繰出時間間隔よりも長い第２の繰出時間間隔とし、
前記搬送手段は、紙葉の搬送の速度が、前記通常モードと前記低速モードとで同じであることを特徴とする請求項１から６のいずれか一項に記載の紙葉計数機。
【発明の詳細な説明】
【技術分野】
【０００１】
本発明は、紙葉計数機に関する。
【背景技術】
【０００２】
一般に、紙葉計数機としては、銀行業務等において用いられる紙幣計数機および選挙用の投票用紙等の各種用紙を計数する紙葉計数機等が知られている（例えば、特許文献１参照）。この紙葉計数機によれば、ホッパに集積された紙葉は１枚ずつ分離され繰り出されて計数が行われ、集積車を経由した後に、札受台に集積されるようになっている。つまり、この紙葉計数機では、ホッパに集積した紙葉を高速で計数して札受台に集積させつつ、紙葉の枚数を確認することができるようになっている。
【先行技術文献】
【特許文献】
【０００３】
【特許文献１】実公平０１−０２４６６８号公報
【発明の概要】
【発明が解決しようとする課題】
【０００４】
しかしながら、紙葉を計数する場合に、高速で計数して枚数を確認するだけの作業に止まらず、計数する紙葉の表裏の方向が間違っていないかを確認したり、特に投票用紙においては書かれている文字が間違っていないかを確認したりして、間違った紙葉の排除を伴う作業が行われる場合もある。その場合には別途操作員が手作業で１枚ずつ捌きながら目視で確認する必要があった。
【０００５】
したがって、本発明は、紙葉の高速での計数に加えて、紙葉を計数しつつ一枚ずつ目視確認することが容易に可能となる紙葉計数機の提供を目的とする。
【課題を解決するための手段】
【０００６】
上記目的を達成するために、請求項１に係る発明は、ホッパに投入された紙葉を１枚ずつ分離して繰り出し搬送して排出する繰出搬送手段と、該繰出搬送手段で排出された紙葉を目視可能に受け入れる受入手段と、前記繰出搬送手段で移動中の紙葉を計数する計数手段と、を備える紙葉計数機であって、操作手段への操作入力に基づいて、前記繰出搬送手段による前記受入手段への紙葉の排出の時間間隔を第１の排出時間間隔とする通常モードと前記第１の排出時間間隔よりも長い第２の排出時間間隔とする低速モードとから選択して実行する選択手段を備えることを特徴とする。
【０００７】
請求項２に係る発明は、請求項１に係る発明において、前記低速モードが選択された状態で、前記操作手段への操作入力に基づいて、前記第２の排出時間間隔を段階的に短くまたは長く切り換える切換手段を備えることを特徴とする。
【０００８】
請求項３に係る発明は、請求項２に係る発明において、前記切換手段は、前記低速モードでの前記繰出搬送手段による紙葉の繰り出し搬送中であっても、前記操作手段への操作入力に基づいて、前記第２の排出時間間隔を段階的に短くまたは長く切り換え可能であることを特徴とする。
【０００９】
請求項４に係る発明は、請求項１から３のいずれか一項に係る発明において、前記低速モードでの前記繰出搬送手段による紙葉の繰り出し搬送中に、前記操作手段への操作入力に基づいて、前記繰出搬送手段による紙葉の繰り出し搬送を一旦停止させる停止手段を備えることを特徴とする。
【００１０】
請求項５に係る発明は、請求項１から４のいずれか一項に係る発明において、前記低速モードでの前記繰出搬送手段の動作条件を記憶する記憶手段を有することを特徴とする。
【００１１】
請求項６に係る発明は、請求項１から５のいずれか一項に係る発明において、前記低速モードが選択された状態では、低速モードである旨と前記第２の排出時間間隔に相当する情報とを表示する表示手段を備えることを特徴とする。
【００１２】
請求項７に係る発明は、請求項１から６のいずれか一項に係る発明において、前記繰出搬送手段は、前記ホッパに投入された紙葉を１枚ずつ分離して繰り出す繰出手段と、該繰出手段により繰り出された紙葉を搬送して前記受入手段に排出する搬送手段とを有し、前記選択手段は、前記通常モードが選択されると、前記繰出手段により前記ホッパから紙葉を１枚ずつ分離して繰り出す繰り出しの時間間隔を第１の繰出時間間隔とするとともに前記搬送手段による紙葉の搬送の速度を第１の搬送速度とする一方、前記低速モードが選択されると、前記繰り出しの時間間隔を前記第１の繰出時間間隔よりも長い第２の繰出時間間隔とするとともに、前記搬送の速度を前記第１の搬送速度よりも遅い第２の搬送速度とすることを特徴とする。
【００１３】
請求項８に係る発明は、請求項１から６のいずれか一項に係る発明において、前記繰出搬送手段は、前記ホッパに投入された紙葉を１枚ずつ分離して繰り出す繰出手段と、該繰出手段により繰り出された紙葉を搬送して前記受入手段に排出する搬送手段とを有し、前記選択手段は、前記通常モードが選択されると、前記繰出手段により前記ホッパから紙葉を１枚ずつ分離して繰り出す繰り出しの時間間隔を第１の繰出時間間隔とする一方、前記低速モードが選択されると、前記繰り出しの時間間隔を前記第１の繰出時間間隔よりも長い第２の繰出時間間隔とし、前記搬送手段は、紙葉の搬送の速度が、前記通常モードと前記低速モードとで同じであることを特徴とする。
【発明の効果】
【００１４】
請求項１に係る発明によれば、選択手段が、操作手段への操作入力に基づいて、繰出搬送手段による受入手段への紙葉の排出の時間間隔を第１の排出時間間隔とする通常モードと、繰出搬送手段による受入手段への紙葉の排出の時間間隔を第１の排出時間間隔よりも長い第２の排出時間間隔とする低速モードとから選択して実行する。よって、通常モードでは低速モードよりも短時間で計数を行うことができ、低速モードでは通常モードよりも受入手段への紙葉の排出の時間間隔を長くすることができる。このため、一台の同じ機械で、紙葉の高速での計数に加えて、紙葉を計数しつつ一枚ずつ目視確認することが容易に可能となる。つまり、低速モードを選択して実行すれば、例えば、紙葉の表裏の方向が間違っているか否かを目視で確認したり、特に投票用紙において書かれている文字が間違っているか否かを目視で確認したりできる。
【００１５】
請求項２に係る発明によれば、切換手段が、操作手段への操作入力に基づいて低速モードでの第２の排出時間間隔を段階的に短くまたは長く切り換える。よって、低速モードでの第２の排出時間間隔を所望の間隔に調整することができ、個人個人で異なる目視に最適な排出の時間間隔に設定することができる。
【００１６】
請求項３に係る発明によれば、切換手段は、低速モードでの繰出搬送手段による紙葉の繰り出し搬送中であっても、操作手段への操作入力に基づいて、第２の排出時間間隔を段階的に短くまたは長く切り換え可能であるため、紙葉の繰り出し搬送中に繰出搬送手段を一々停止させることなく、第２の排出時間間隔を所望の間隔に調整することができる。
【００１７】
請求項４に係る発明によれば、低速モードでの繰出搬送手段による紙葉の繰り出し搬送中に、停止手段が、操作手段への操作入力に基づいて、繰出搬送手段による紙葉の繰り出し搬送を一旦停止させるため、例えば、紙葉の表裏の方向が間違っている紙葉を見つけたり、書かれている文字が間違っている紙葉を見つけたりしたときに、紙葉の繰り出し搬送を一旦停止させることができる。よって、見つけた紙葉を容易に排除することができる。
【００１８】
請求項５に係る発明によれば、記憶手段が、低速モードでの繰出搬送手段の動作条件を記憶するため、一々低速モードでの繰出搬送手段の動作条件を設定しなくとも、記憶手段から読み出した動作条件で繰出搬送手段を動作させることができる。
【００１９】
請求項６に係る発明によれば、低速モードが選択された状態では、表示手段が、低速モードである旨と第２の排出時間間隔に相当する情報とを表示するため、これらの情報を操作者に認識させることができる。よって、操作者による操作ミスを抑制することができる。
【００２０】
請求項７に係る発明によれば、通常モードが選択されると、選択手段が、繰出手段による繰り出しの時間間隔を第１の繰出時間間隔とするとともに搬送手段による紙葉の搬送の速度を第１の搬送速度として受入手段への紙葉の排出の時間間隔を第１の排出時間間隔とする。また、低速モードが選択されると、選択手段が、繰出手段による繰り出しの時間間隔を第１の繰出時間間隔よりも長い第２の繰出時間間隔とするとともに、搬送の速度を第１の搬送速度よりも遅い第２の搬送速度として、受入手段への紙葉の排出の時間間隔を第１の排出時間間隔よりも長い第２の排出時間間隔とする。これにより、簡単な制御で受入手段への紙葉の排出の時間間隔を変更可能となる。
【００２１】
請求項８に係る発明によれば、通常モードが選択されると、選択手段が、繰出手段による繰り出しの時間間隔を第１の繰出時間間隔とする一方、低速モードが選択されると、繰出手段による繰り出しの時間間隔を第１の繰出時間間隔よりも長い第２の繰出時間間隔とする。そして、搬送手段による紙葉の搬送の速度が、通常モードと低速モードとで同じとなっている。これにより、さらなる制御の容易化が図れる。
【図面の簡単な説明】
【００２２】
【図１】本発明の一実施形態に係る紙葉計数機の概略断面図である。
【図２】本発明の一実施形態に係る紙葉計数機の制御系のブロック図である。
【図３】本発明の一実施形態に係る紙葉計数機の制御のフローチャートである。
【図４】本発明の一実施形態に係る紙葉計数機の機能ブロック図である。
【発明を実施するための形態】
【００２３】
本発明の一実施形態に係る紙葉計数機を図面を参照して以下に説明する。図１において符号１は多数の紙葉が集積されるホッパである。このホッパ１に集積された紙葉は、順次ガイドローラ２によってスリット１ａを通過し、繰出ローラ３に供給される。繰出ローラ３は、計数モータＭ１によって矢印Ａ方向に回転するもので、繰出ローラ３と計数モータＭ１との間に回転を伝達するクラッチ（図示略）および繰出ローラ３を急激に停止させるブレーキ（図示略）が設けられている。そして、繰出ローラ３に対向する位置には摩擦部材３ａ，３ｂが設けられ、繰出ローラ３と摩擦部材３ａ，３ｂ間の摩擦力の差によって、ホッパ１に集積された紙葉を順次間欠的に搬送通路４に繰り出している。ガイドローラ２は、計数モータＭ１の駆動力により繰出ローラ３と連動して回転する。
【００２４】
ガイドローラ２、繰出ローラ３、計数モータＭ１、クラッチ（図示略）、ブレーキ（図示略）および摩擦部材３ａ，３ｂが、ホッパ１に集積状態で投入された紙葉を１枚ずつ分離して繰り出す繰出手段３１を構成している。この繰出手段３１は、計数モータＭ１の回転速度を変更制御することで、ホッパ１から紙葉を１枚ずつ分離して搬送通路４に繰り出す繰り出しの時間間隔を変更可能となっている。
【００２５】
搬送通路４には紙葉を計数する投受光器５ａ，５ｂが同搬送通路４を挟んで対向配置されている。この搬送通路４を通過する紙葉は投受光器５ａ，５ｂによってその通過が検出された後、加速ローラ６に到達する。加速ローラ６は計数モータＭ１によって回転駆動され、これら加速ローラ６によって挟持された紙葉は加速されて集積車７に投入される。集積車７は集積車モータ（図示略）によって矢印Ｂ方向に回転駆動されるもので、順次加速投入された紙葉を整えながら受入手段である札受台８にほぼ水平な状態で下から上に集積させる。この札受台８上の紙葉は、その有無が残留検知投受光器９ａ，９ｂによって検出される。
【００２６】
ここで、集積車７は、回転方向の同側に傾斜して延出する多数の羽根７ａを有しており、加速ローラ６から繰り出された紙葉を、回転中その時点で加速ローラ６に対向する隣り合う羽根７ａ間の隙間に受け入れて回転し、札受台８上の奥面８ａに当接させて、羽根７ａ間から排出させる。これにより、紙葉が奥面８ａに案内されて札受台８上に落下する。
【００２７】
搬送通路４、加速ローラ６、計数モータＭ１、集積車７および集積車モータが、上記した繰出手段３１により繰り出された紙葉を搬送して受入手段である札受台８上に排出する搬送手段３２を構成している。この搬送手段３２は、計数モータＭ１および集積車モータの回転速度を変更制御することで、紙葉の搬送の速度を変更可能となっている。つまり、繰出手段３１を構成するガイドローラ２、繰出ローラ３、クラッチ（図示略）、ブレーキ（図示略）および摩擦部材３ａ，３ｂと、搬送手段３２を構成する搬送通路４、加速ローラ６、集積車７および集積車モータと、双方を構成する計数モータＭ１とが、ホッパ１に投入された紙葉を１枚ずつ分離して繰り出し搬送して札受台８上に排出する繰出搬送手段３３を構成している。
【００２８】
札受台８は紙葉計数機の機外に臨む正面位置に設けられており、その上方が開放されている。よって、札受台８に排出された紙葉は機外に露出することになり、操作者による上方からの上面の目視が可能となる。つまり、札受台８は、繰出搬送手段３３で排出された紙葉を目視可能に受け入れる。投受光器５ａ，５ｂは、繰出搬送手段３３で移動中の紙葉を計数する計数手段である。
【００２９】
一方、紙葉計数機の正面右側には、その下部に、図２に示す操作手段１７、すなわち、カウント釦、アッド釦、プリセット釦、リピート釦、スタート釦、ストップ釦、テンキー、ライト釦、クリア釦、モード設定釦、アップ釦およびダウン釦等が配設され、また紙葉計数機の正面右側の上部には、図２に示す表示手段１８すなわち、計数表示器、モードが変化する毎に累計総枚数あるいはプリセット枚数あるいはリピート回数等が表示される表示器および光量設定表示器が各々配設されている。なお、これらの表示器は例えば７セグメント型のＬＥＤや、ＬＣＤ、プラズマディスプレイあるいはＣＲＴ等のドットマトリックス型の表示器等から構成されている。
【００３０】
図２は、本実施形態に係る紙葉計数機の回路をＣＰＵシステムを用い構成した場合の一例を示すブロック図であり、図３は図２を説明するためのフローチャートである。図２において、ＣＰＵ１０は後述するプログラムを実行するものであり、アドレスバスＡＢ、データバスＤＢ、コントロールバスＣＢを介して各ＲＯＭ１１、ＲＡＭ１２、キーボードおよび表示用Ｉ／Ｏポート１３、タイマ１４、出力ポート１５および入力ポート１６に各々接続されている。
【００３１】
キーボードおよび表示用Ｉ／Ｏポート１３は、操作手段１７の各釦が押圧操作された場合において、押圧された各釦に対応した信号を発生してＣＰＵ１０に送出し、また逆に、ＣＰＵ１０から供給された各種の表示データを一時記憶し、この一時記憶した表示データをデコードして順次表示手段１８に送出して表示させる。なお、表示手段１８によって表示される計数枚数等の表示はゼロサプレスされて見易くなっている。
【００３２】
タイマ１４はＣＰＵ１０から計時開始信号が供給された場合に、それまで記憶していた計時データを消去すると共にその計時動作を開始し、その後において同ＣＰＵ１０から計時終了信号を供給された場合に、その計時動作を終了させると共に、その計時した結果得られた計時データを記憶し、この記憶した計時データをＣＰＵ１０に供給する。なお、このタイマ１４はＣＰＵ１０から計時開始信号を供給された場合も上述した動作と並行して計時を開始し、この計時を開始した時点から予め定められた所定の期間が経過した時にＣＰＵ１０にインターラプト信号を供給して、所定期間、計時開始信号を供給されなかったことをＣＰＵ１０に知らせるようになっている。
【００３３】
出力ポート１５はＣＰＵ１０から供給された各制御信号に基づいて図１に示したガイドローラ２、繰出ローラ３、加速ローラ６を駆動する計数モータＭ１、集積車７を駆動する集積車モータ、ガイドローラ２に同軸的に設けられ計数モータＭ１が発生する駆動力をガイドローラ２および繰出ローラ３に伝達するクラッチを連結状態（あるいは非連結状態）にするクラッチ付勢用ソレノイド、繰出ローラ３に同軸的に設けられ同繰出ローラ３およびガイドローラ２を停止させるブレーキ機構を動作状態にするブレーキ付勢用ソレノイド、紙葉計数機に設けられ長いブザー音および短いブザー音を発生するブザー回路に、対応する計数モータ駆動信号、集積車モータ駆動信号、クラッチ付勢用ソレノイド駆動信号、ブレーキ付勢用ソレノイド駆動信号、長音発生信号、短音発生信号を各々、供給すると共に、二重検知回路１９に二重検知レベルデータを供給する。すなわち、出力ポート１５はＣＰＵ１０から計数モータ駆動開始信号を供給された場合において計数モータＭ１に計数モータ駆動信号を供給して同計数モータＭ１を付勢し、加速ローラ６を回転駆動させる。なおこの場合において、クラッチ付勢用ソレノイドが動作状態になっている時には加速ローラ６と共にガイドローラ２および繰出ローラ３も回転駆動される。
【００３４】
また、出力ポート１５はＣＰＵ１０から集積車モータ駆動開始信号を供給された場合において集積車モータに集積車モータ駆動信号を供給して同集積車モータを付勢し、集積車７を回転駆動させる。また、出力ポート１５はＣＰＵ１０からクラッチ駆動開始信号を供給された場合において、クラッチ付勢用ソレノイドにクラッチ付勢用ソレノイド駆動信号を供給して同クラッチ付勢用ソレノイドを付勢し、クラッチを連結状態にする。これにより、計数モータＭ１が駆動力を発生している場合において、ガイドローラ２および繰出ローラ３に計数モータＭ１の発生した駆動力が伝達され、この伝達された駆動力により同ガイドローラ２および繰出ローラ３が回転駆動される。また、出力ポート１５はＣＰＵ１０からブレーキ駆動開始信号を供給された場合において、ブレーキ付勢用ソレノイドにブレーキ付勢用ソレノイド駆動信号を供給して同ブレーキ付勢用ソレノイドを付勢し、ブレーキを動作状態にする。これにより、繰出ローラ３およびガイドローラ２が制動されて停止する。
【００３５】
また、出力ポート１５はＣＰＵ１０から長音発生開始信号を供給された場合においてブザー回路に長音発生信号を供給して同ブザー回路から長いブザー音を発生させ、また逆に、ＣＰＵ１０から短音発生開始信号を供給された場合においてブザー回路に短音発生信号を供給して同ブザー回路から短いブザー音を発生させる。また、出力ポート１５はＣＰＵ１０から二重検知レベルデータを供給された場合において、供給された二重検知レベルデータ（あるいは供給された二重検知レベルデータをデコードした結果得られた二重検知レベルデータ）を二重検知回路１９に供給する。
【００３６】
二重検知回路１９は搬送通路４を通過する紙葉が二枚以上重なって搬送されているか否かを受光器５ｂ，５ｂに到達する透過光量信号と一枚分の紙葉に相当する基準透過光量信号とを比較することにより検知するものであり、出力ポート１５から供給された二重検知レベルデータを対応するアナログデータ（基準透過光量信号）に変換するＤＡ変換器とこのＤＡ変換器により得られた基準透過光量信号と受光器５ｂ，５ｂから供給された透過光量信号との大小を比較する比較器とを有して構成されている。そして、この二重検知回路１９は出力ポート１５から供給された二重検知レベルデータを変換した結果得られた基準透過光量信号より受光器５ｂ，５ｂから供給された透過光量信号が小の場合に、二重送り検知信号を発生し、この発生した二重送り検知信号を入力ポート１６に供給する。
【００３７】
入力ポート１６は二重検知回路１９から二重送り検出信号を供給された場合において、インターラプト信号を発生してＣＰＵ１０に供給し、搬送通路４を通過する紙葉が二枚以上重なって搬送されていることをＣＰＵ１０に知らせ、また、同入力ポート１６は受光器５ｂ，５ｂから供給された透過光量信号が所定の大きさ（この大きさは受光器５ｂ，５ｂに到達する光が紙葉により減光されない時において受光器５ｂ，５ｂが出力する透過光量信号の大きさより少し小さく設定されている）より小となった時にＣＰＵ１０に通過検出開始信号を供給し、この状態において、受光器５ｂ，５ｂからの透過光量信号が所定の大きさより大となった時に、ＣＰＵ１０に通過検出終了信号を供給する。また、同入力ポート１６は、他の入力、すなわち札受台８上の紙葉の有無を検出するための受光器９ｂからの透過光量信号が所定の大きさより小となった時にＣＰＵ１０に紙葉検出信号を供給する。
【００３８】
ＲＯＭ１１は以下に述べるフローチャートに基づくプログラム等を記憶するものであり、またＲＡＭ１２はＲＯＭ１１に記憶されているプログラムの作業領域になっている。なお、後述する許容誤差データｄ１，ｄ２は予めこのＲＡＭ１２に記憶されている。
【００３９】
以上の構成において、紙葉計数機のオペレータが同紙葉計数機に設けられている電源スイッチ（図示略）をオンさせた後に同紙葉計数機のホッパ１にその枚数を計数したい紙葉群を集積状態でセットして、操作手段１７のスタート釦を押圧操作する（図３のステップ１）とキーボードおよびＩ／Ｏポート１３が押圧操作されたスタート釦に対応したスタート信号を発生し、これにより、ＣＰＵ１０が動作状態となって、装置各部がその動作を開始する。すなわち、操作手段１７に設けられたスタート釦が押圧操作されると、ＣＰＵ１０は、まず、出力ポート１５に計数モータ駆動開始信号および集積車モータ駆動開始信号を供給する。これにより、計数モータＭ１および集積車モータが、各々、回転を始め、加速ローラ６および集積車７を回転駆動する。その後に、ＣＰＵ１０は予め設定されている二重検知レベルデータ（あるいは操作手段１７のライト釦およびテンキーにより、新たに、入力された二重検知レベルデータ）およびクラッチ駆動開始信号を出力ポート１５に供給する。
【００４０】
これにより、二重検知回路が二重検知可能状態になると共にガイドローラ２および繰出ローラ３が共に矢印Ａ方向に回転し、ホッパ１内に投入載置された紙葉群中の紙葉を順次搬送通路４に送出する。また、上述した動作と並行して、ＣＰＵ１０は同ＣＰＵ１０内の予め定められた計数レジスタ（このレジスタにより計数した紙葉の数が記憶される）を消去し（図３のステップ２）、計数動作の初期設定を行う。そして、この状態において、搬送通路４内を搬送された紙葉が同搬送通路４を挟んで対向配置された投受光器５ａ，５ｂ間を通過し始めると、受光器５ｂ，５ｂに到達する光の量が減少し、これにより同受光器５ｂ，５ｂの出力していた透過光量信号のレベルが低下する。この結果、二重検知回路１９は出力ポート１５から供給されている二重検知レベルデータに基づいて受光器５ｂ，５ｂからの透過光量信号の大小を判別し、この結果、二重送りが検出された場合に二重送り検知信号を入力ポート１６に供給する。
【００４１】
入力ポート１６は二重検知回路１９から二重送り検知信号を供給された場合にＣＰＵ１０に割り込みをかける等の予め定められた処理を行い、また、受光器５ｂ，５ｂからの透過光量信号の電圧が低下したことに基づいて、通過検出開始信号を発生してＣＰＵ１０に供給する。ＣＰＵ１０は入力ポート１６から通過検出開始信号を供給されたことにより（図３のステップ３）、計時開始信号を発生し、この発生した計時開始信号をタイマ１４に供給する。タイマ１４はＣＰＵ１０から計時開始信号を供給されたことにより、それまで記憶していた前回の計時データ（この場合の前回の計時データは零データあるいは不定データである）を消去すると共にその計時動作を開始する（図３のステップ４）。そして、この後に、ＣＰＵ１０はその初期設定を行った計数レジスタ（この場合、このレジスタは初期設定されたことにより、それまで記憶していた計数データが消去されている）に記憶されている計数データを読込むと共に、この読込んだ計数データに１を加算して、再び同計数レジスタに記憶させる（図３のステップ５）。
【００４２】
この後において、搬送通路４内を搬送されていた紙葉が投受光器５ａ，５ｂ間を通過し終ると、受光器５ｂ，５ｂの出力していた透過光量信号のレベルが上昇し、これにより、入力ポート１６がＣＰＵ１０に通過検出終了信号を供給する。ＣＰＵ１０は入力ポート１６から通過検出終了信号を供給されたことにより（図３のステップ６）、計時終了信号を発生してタイマ１４に供給する。タイマ１４はＣＰＵ１０から計時終了信号を供給されたことにより、それまで行なっていた計時動作を終了させる（図３のステップ７）と共に、計時した結果得られた計時データ（この計数データが規準長さデータとなる）をＣＰＵ１０に供給する。ＣＰＵ１０はタイマ１４から供給された計時データを取込み記憶すると共に、計数レジスタに記憶されている計数データを読み出し、この読み出した計数データが１であるか否かを判別し（図３のステップ８）、この結果、読み出した計数データが１であることから、記憶している計時データをＲＡＭ１２の予め定められている所定番地のレジスタ（以下、このレジスタをＲ１という）に記憶させる（図３のステップ９）。
【００４３】
そして、搬送通路４内を搬送された次の紙葉が投受光器５ａ，５ｂ間を通過し始めて、受光器５ｂ，５ｂの出力していた透過光量信号のレベルが低下すると、ＣＰＵ１０は上述した動作（図３のステップ３からステップ７までの動作）をくり返す。そしてその後に、同ＣＰＵ１０は計数レジスタに記憶されている計数データを読み出し、この読み出した計数データが１であるか否かを判別し（図３のステップ８）、この結果、読み出した計数データが１でないことから、その時に記憶しているタイマ１４からの計時データ（この計時データが紙葉の長さデータとなる）をＲＡＭ１２の予め定められている所定番地のレジスタ（以下、このレジスタをＲｎという）に記憶させる（図３のステップ１０）。
【００４４】
その後に同ＣＰＵ１０はＲＡＭ１２に記憶されている許容誤差データｄ１および同ＲＡＭ１２のレジスタＲ１に記憶されている規準長さデータを読込むと共に、この読込んだ許容誤差データｄ１と規準長さデータとを加算し、この結果得られた上限長さデータを記憶し、この後において、ＲＡＭ１２のレジスタＲｎに記憶されている長さデータを読込み、この読込んだ長さデータと記憶している上限長さデータとを比較し(図３のステップ１１）、この結果、読込んだ長さデータが記憶している上限長さデータより大の場合、すなわち、連鎖流れが生じた場合に、予め定められているエラーストップ処理、例えば、出力ポート１５にクラッチ駆動停止信号、ブレーキ駆動開始信号、……等を出力して装置各部を停止させると共にキーボードおよび表示用Ｉ／Ｏポート１３にエラー表示信号を供給して表示手段１８にエラー表示を行なわせる（図３のステップ１２）。
【００４５】
また、上述した場合において、読込んだ長さデータが記憶している上限長さデータより小の場合あるいは同じ場合に、ＣＰＵ１０はＲＡＭ１２に記憶されている許容誤差データｄ２および同ＲＡＭ１２のレジスタＲ１に記憶されている規準長さデータを読込むと共に、この読込んだ規準長さデータから許容誤差データｄ２を減算し、この結果得られた下限長さデータを記憶し、この後において、ＲＡＭ１２のレジスタＲｎに記憶されている長さデータを読込み、この読込んだ長さデータと記憶している下限長さデータとを比較し（図３のステップ１３）、この結果、読込んだ長さデータが記憶している下限長さデータより小の場合、すなわち、ちぎれ券（紙葉）が検出された場合に、上述した予め定められているエラーストップ処理を行い（図３のステップ１２）、また逆に、読込んだ長さデータが記憶している下限長さデータより大の場合あるいは同じ場合に、キーボードおよび表示用Ｉ／Ｏポート１３がストップ信号を出力しているか否かを判別する（図３のステップ１４）。
【００４６】
そして、キーボードおよび表示用Ｉ／Ｏポート１３がストップ信号を出力している場合、すなわち、オペレータが紙葉計数機に設けられている操作手段１７のストップ釦を押圧操作した場合において、ＣＰＵ１０は予め定められている計数終了処理、例えば、出力ポート１５に計数モータ駆動停止信号、集積車モータ駆動停止信号、……等を出力して装置各部を停止させ（図３のステップ１５）、また逆に、キーボードおよび表示用Ｉ／０ポート１３がストップ信号を出力していない場合において、ＣＰＵ１０は上述したステップ３に戻り、上述した動作（図３のステップ３からステップ８までの動作およびステップ１０からステップ１５までの動作）をくり返し実行する。なお、上述したステップ３であり、かつ、ＣＰＵ１０が待ち状態にある場合においてタイマ１４がインターラプト信号を出力した場合に、ＣＰＵ１０はその待ち状態をやめて、ステップ１５の計数終了処理を行うようになっている。
【００４７】
またこの実施形態においては許容誤差データｄ１，ｄ２が予めＲＡＭ１２に記憶されているとしたが、これを、紙葉計数機に投入された紙葉群を計数している時に各紙葉の許容誤差を求め、この求めた各許容誤差をその計数動作中あるいは計数動作終了後において表示手段１８に表示させ、この表示手段１８によって表示された各許容誤差データあるいは最大許容誤差データ等に基づいて、あるいは、予め定められた許容誤差データに基づいて、オペレータがその許容誤差データを入力することも勿論可能である。また、ＲＡＭ１２ではなくＲＯＭ１１に予め記憶させておいても良い。
【００４８】
またこの実施形態にあっては二重検知回路１９を設けていることから、上述した紙葉の長さ検出と並行してその二重送り検出を行い、より精度の高い計数を行うことができる。
【００４９】
図４は図２に示した回路の構成を機能別に整理して表現したものである。以下、各処理手段の機能を図３のフローチャートに対応させて説明する。
【００５０】
この図において、２０は装置全体を制御する主制御部、２１はカウンタ等を有した構成とされた枚数計数手段、２２は図１における投受光器５ａ，５ｂを有して構成された紙葉検出手段、２３は再トリガタイマを有して構成された計時手段、２４はアンドゲート、２５はレジスタ、データラッチ回路等を有して構成された比較データストア手段、２６は比較データストア手段２５に記載されたデータと、前記アンドゲート２４から基準データストア手段２７に供給されて記憶されたデータとを比較する比較手段、２８は比較手段２６に入力されるデータのばらつきを修正するためのデータを記憶するばらつき定数ストア手段である。
【００５１】
これらの構成要素は、図２に示す回路の構成要素に対して、それぞれ次のような対応関係を持っている。
すなわち具体的には、
主制御部２０、ゲート手段２４、比較手段２６の機能をそれぞれＣＰＵ１０が果し、
枚数計数手段２１、比較データストア手段２５、および基準データストア手段２７の機能を前記ＣＰＵ１０の制御に基づいてＲＡＭ１２が果し、
紙葉検出手段２２の機能を受光器５ｂが果し、
計時手段２３の機能をタイマ１４が果している。
次いで、上記各手段の機能を図３のフローチャートにしたがって再度説明する。
Ｓ１：図１に示した紙葉類計数機の前面パネルに設けられた操作手段１７のスタート釦が押圧操作されると計数スタート信号が発生して制御が開始される。
Ｓ２：発生した計数スタート信号が枚数計数手段２１に供給されると、該枚数計数手段２１は、それまで保持されていた枚数計数値をクリアするとともに、受光器５ｂの出力レベルに基づいて、紙葉検出手段２２が紙葉の通過を判断し、この通過検出信号の立ち上がりを条件として次のＳ４へ進む。
Ｓ４：通過検出信号が立ち上がることにより、計時手段２３内のタイマがクリアされるとともに計時がスタートする。
Ｓ５：枚数計数手段２１がカウントアップされる。
Ｓ６：搬送通路４内を搬送されていた紙葉が所定位置を通過したことが紙葉検出手段２２に検知されて通過検出信号が立ち下がったことを条件として次のＳ７へ進む。
Ｓ７：通過検出信号の立ち下がりにより、計時手段２３内のタイマが停止される。
Ｓ８：枚数計数手段２１の計数値が１の場合にはＳ９へ、それ以外の場合にはＳ１０以降のステップへ進む。
Ｓ９：１枚目の計数においては、枚数計数手段２１からアンドゲート２４に１が供給されるから、計時手段２３からの計時データがアンドゲート２４を通過して基準データストア手段２７に供給されて基準長さＲ１として記憶され、その後、前記Ｓ３へ戻る。
Ｓ１０：２枚目以降の紙葉が通過すると、枚数計数手段２１の計数値が１でなくなるためＳ１０へ進み、計時手段２３が計時した計時データが比較データストア手段２５に供給され、２枚目以降の紙葉の長さＲｎとして記憶される。
Ｓ１１：バラツキ定数ストア手段２８に記憶された許容誤差データｄ１と、前記両ストア手段２５，２７に記憶された紙葉長さのデータＲ１およびＲｎについて、比較手段２６がＲｎ＞Ｒ１＋ｄ１なる判断を行い、ＹＥＳの場合には紙葉の長さ異常と見なしてＳ１２へ進み、所定のエラーストップによって終了する。一方、ＮＯの場合には次のＳ１３へ進む。
Ｓ１３：同じく比較手段２６がＲｎ＜Ｒ１−ｄ２なる判断を行い、ＹＥＳの場合には異常と見なして前記Ｓ１１の場合と同様にＳ１２へ進み、エラーストップによって終了する。一方、ＮＯの場合には、ストップ信号が入力されたか否かを判断し（Ｓ１４）、ＮＯの場合には前記Ｓ３に戻り、ＹＥＳの場合にはＳ１５へ進んで制御が終了する。
【００５２】
なお、比較手段２６は比較データストア手段２５から新たな長さデータを供給される毎に上述した動作をくり返し行う。また、主制御部２０は比較手段２６からエラーストップ信号を供給された場合において、予め定められたエラーストップ処理、例えば、図１に示したガイドローラ２、繰出ローラ３、……等の装置各部を停止させる停止信号を出力して装置各部に供給すると共に表示器（図示略）にエラー表示信号を供給してエラー表示を行なわせる。
【００５３】
以上の構成になるこの回路も図２に示した回路と同様に動作して、搬送通路４内を通過する紙葉の長さの判別を行い、この判別結果に基づいて紙葉の流れ異常検出を行う。
【００５４】
なお上述した実施形態においては、搬送通路４内を通過した最初の紙葉の長さを規準長さデータとして記憶するようにしていることから、最初の紙葉が連鎖状に流れた場合において２番目の紙葉がちぎれ券と判別されて回路がエラーストップ処理を行う。したがって、１枚目の紙葉が連鎖状に流れた場合にあっても高い計数精度を保つことができる。
【００５５】
そして、本実施形態においては、ＣＰＵ１０が、操作手段１７のモード設定釦への操作入力に基づいて、単位時間当たりの紙葉の計数枚数つまり単位時間当たりの紙葉の札受台８への排出の枚数が、予め設定されている固定値である第１の排出枚数（例えば１０００枚／分）となる通常モードと、この第１の排出枚数よりも少ない、予め設定されている可変値である第２の排出枚数（例えば１００枚／分）となる低速モードとから選択して実行する選択手段を含んでいる。
【００５６】
つまり、操作手段１７のモード設定釦への操作入力で通常モードが選択設定されると、ＣＰＵ１０は、計数モータＭ１の回転の速度（動作条件）を、予め設定されてＲＡＭ１２に記憶されている固定値の第１の計数回転速度とし、集積車モータの回転の速度（動作条件）を、予め設定されてＲＡＭ１２に記憶されている固定値の第１の集積車回転速度とする。また、操作手段１７のモード設定釦への操作入力で低速モードが選択設定されると、ＣＰＵ１０は、計数モータＭ１の回転の速度（動作条件）を第１の計数回転速度よりも低い、予め設定されてＲＡＭ１２に記憶されている第２の計数回転速度とし、集積車モータの回転の速度（動作条件）を第１の集積車回転速度よりも低い、予め設定されてＲＡＭ１２に記憶されている第２の集積車回転速度とする。
【００５７】
通常モードとなり、計数モータＭ１の回転の速度を第１の計数回転速度とし集積車モータの回転速度を第１の集積車回転速度とすると、繰出手段３１によりホッパ１から紙葉を１枚ずつ分離して繰り出す繰り出しの時間間隔が固定値である第１の繰出時間間隔となり、搬送手段３２による紙葉の搬送の速度が固定値である第１の搬送速度となる。また、低速モードとなり、計数モータＭ１の回転の速度を第２の計数回転速度とし集積車モータの回転速度を第２の集積車回転速度とすると、繰出手段３１によりホッパ１から紙葉を１枚ずつ分離して繰り出す繰り出しの時間間隔が、上記第１の繰出時間間隔よりも長い可変値である第２の繰出時間間隔となり、搬送手段３２による紙葉の搬送の速度が、上記第１の搬送速度よりも遅い可変値である第２の搬送速度となる。
【００５８】
その結果、通常モードでは、繰出搬送手段３３による札受台８への紙葉の排出の時間間隔が予め設定された固定値である第１の排出時間間隔となり、低速モードでは、繰出搬送手段３３による札受台８への紙葉の排出の時間間隔が、前記第１の排出時間間隔よりも長い可変値である第２の排出時間間隔となる。ここで、排出時間間隔とは、例えば、搬送手段３２の最下流位置の集積車７で搬送されている紙幣が奥面８ａに当接した時点から、その次に集積車７で搬送されている紙幣が奥面８ａに当接する時点までの時間である。
【００５９】
つまり、ＣＰＵ１０は、操作手段１７への操作入力に基づいて、繰出搬送手段３３による札受台８への紙葉の排出の時間間隔を、固定値である第１の排出時間間隔とする通常モードと、この第１の排出時間間隔よりも長い可変値である第２の排出時間間隔とする低速モードとから選択して実行する選択手段を含んでいる。ＣＰＵ１０は、通常モードが選択された状態では、表示手段１８に、通常モードである旨と、単位時間当たりの紙葉の計数枚数つまり単位時間当たりの紙葉の札受台８への排出の枚数（第１の排出時間間隔に相当する情報）を表示させる。また、ＣＰＵ１０は、低速モードが選択された状態では、表示手段１８に、低速モードである旨と、単位時間当たりの紙葉の計数枚数つまり単位時間当たりの紙葉の札受台８への排出の枚数（第２の排出時間間隔に相当する情報）を表示させる。
【００６０】
ＣＰＵ１０は、低速モードが選択された状態で、操作手段１７への操作入力に基づいて、第２の排出時間間隔を段階的に短くまたは長く切り換える切換手段を含んでいる。つまり、ＣＰＵ１０は、操作手段１７のモード設定釦への操作入力で低速モードが選択設定されると、計数モータＭ１の回転の速度を、予め設定されてＲＡＭ１２に記憶されている第２の計数回転速度の初期値とし、集積車モータの回転速度を、予め設定されてＲＡＭ１２に記憶されている第２の集積車回転速度の初期値とする。このときの単位時間当たりの紙葉の計数枚数つまり単位時間当たりの紙葉の札受台８への排出の枚数が、予め設定されている第２の排出枚数の初期値（例えば１００枚／分）となる。
【００６１】
この状態で、操作手段１７のダウン釦が押圧操作されると、ＣＰＵ１０は、予め設定されてＲＡＭ１２に記憶されている幅で第２の計数回転速度を低くするとともに、予め設定されてＲＡＭ１２に記憶されている幅で第２の集積車回転速度を低くする。しかも、押圧操作の回数毎に、予め設定されてＲＡＭ１２に記憶されている幅で第２の計数回転速度をその下限値を下回らない範囲で低くするとともに、予め設定されてＲＡＭ１２に記憶されている幅で第２の集積車回転速度をその下限値を下回らない範囲で低くする。これにより、第２の排出時間間隔が段階的に長くなり、単位時間当たりの紙葉の計数枚数つまり第２の排出枚数が段階的に少なくなる（例えばダウン釦への１回の押圧操作で２０枚／分だけダウン）。低速モードでの計数回転速度の下限値および集積車回転速度の下限値の設定により、第２の排出時間間隔の上限値（例えば３秒）と、単位時間当たりの紙葉の計数枚数つまり第２の排出枚数の下限値（例えば２０枚／分）とが設定される。このような計数枚数の減少変更時において、ＣＰＵ１０は、表示手段１８に、低速モードが選択中である旨と、単位時間当たりの紙葉の計数枚数つまり単位時間当たりの札受台８への紙葉の排出の枚数である第２の排出枚数（第２の排出時間間隔に相当する情報）を表示させる。
【００６２】
また、操作手段１７のアップ釦が押圧操作されると、ＣＰＵ１０は、予め設定されてＲＡＭ１２に記憶されている幅で第２の計数回転速度を高くするとともに、予め設定されてＲＡＭ１２に記憶されている幅で第２の集積車回転速度を高くする。しかも、押圧操作の回数毎に、予め設定されてＲＡＭ１２に記憶されている幅で第２の計数回転速度をその上限値（第１の計数回転速度よりも低い値）を上回らない範囲で高くするとともに、予め設定されてＲＡＭ１２に記憶されている幅で第２の集積車回転速度をその上限値（第１の集積車回転速度よりも低い値）を上回らない範囲で高くする。これにより、第２の排出時間間隔が段階的に短くなり、単位時間当たりの紙葉の計数枚数つまり第２の排出枚数が段階的に多くなる（例えばアップ釦への１回の押圧操作で２０枚／分だけアップ）。低速モードでの計数回転速度の上限値および集積車回転速度の上限値の設定により、第２の排出時間間隔の下限値（例えば０．５秒）と、単位時間当たりの紙葉の計数枚数つまり第２の排出枚数の上限値（例えば３００枚／分）とが設定される。このような計数枚数の増加変更時においても、ＣＰＵ１０は、表示手段１８に、低速モードが選択中である旨と、単位時間当たりの紙葉の計数枚数つまり単位時間当たりの札受台８への紙葉の排出の枚数である第２の排出枚数（第２の排出時間間隔に相当する情報）を表示させる。
【００６３】
以上により、低速モードでは、単位時間当たりの紙葉の計数枚数つまり単位時間当たりの紙葉の排出枚数である第２の排出枚数が、予め設定された上限値から下限値までの間で段階的に昇降変更可能となっている（例えば第２の排出枚数が２０〜３００枚／分の範囲で２０枚／分の区切りで調整可能となっている）。
【００６４】
しかも、ＣＰＵ１０は、低速モードでの繰出搬送手段３３による紙葉の繰り出し搬送中であっても、繰出搬送手段３３を停止させることなく、上記したように操作手段１７のダウン釦への操作入力に基づいて第２の排出時間間隔を段階的に長く切り換えたり、また操作手段１７のアップ釦への操作入力に基づいて第２の排出時間間隔を段階的に短く切り換えたりすることが可能となっている。なお、変更後の第２の計数回転速度の値および第２の集積車回転速度の値をＲＡＭ１２に更新記憶して、次の低速モードの実行時に、これらの値を第２の計数回転速度の初期値および第２の集積車回転速度の初期値に設定しても良い。
【００６５】
また、ＣＰＵ１０は、低速モードでの繰出搬送手段３３による紙葉の繰り出し搬送中に、操作手段１７への操作入力に基づいて、繰出搬送手段３３による紙葉の繰り出し搬送を一旦停止させる停止手段を含んでいる。つまり、ＣＰＵ１０は、計数モータＭ１および集積車モータの駆動中に、操作手段１７のストップ釦が押圧されると、計数モータＭ１を停止させるとともに、クラッチを非連結状態にして、ブレーキにより繰出ローラ３およびガイドローラ２を停止させる。また、集積車モータを停止して、集積車７を停止させる。これにより、札受台８への紙葉の排出が一旦停止される。また、この状態から、操作手段１７のスタート釦が押圧されると、ＣＰＵ１０は、ブレーキを解除しクラッチを連結状態にするとともに計数モータＭ１および集積車モータを駆動して、低速モードでの繰出搬送手段３３による紙葉の繰り出しを再開させる。
【００６６】
以上に述べた本実施形態によれば、ＣＰＵ１０が、操作手段１７への操作入力に基づいて、繰出搬送手段３３による札受台８への紙葉の排出の時間間隔を第１の排出時間間隔とする通常モードと、繰出搬送手段３３による札受台８への紙葉の排出の時間間隔を第１の排出時間間隔よりも長い第２の排出時間間隔とする低速モードとから選択して実行する。つまり、通常モードが選択されると、ＣＰＵ１０が、繰出手段３１による繰り出しの時間間隔を第１の繰出時間間隔とするとともに搬送手段３２による紙葉の搬送の速度を第１の搬送速度として札受台８への紙葉の排出の時間間隔を第１の排出時間間隔とする。また、低速モードが選択されると、ＣＰＵ１０が、繰出手段３１による繰り出しの時間間隔を第１の繰出時間間隔よりも長い第２の繰出時間間隔とするとともに、搬送の速度を第１の搬送速度よりも遅い第２の搬送速度として、札受台８への紙葉の排出の時間間隔を第１の排出時間間隔よりも長い第２の排出時間間隔とする。よって、通常モードでは低速モードよりも短時間で計数を行うことができ、低速モードでは通常モードよりも札受台８への紙葉の排出の時間間隔を長くすることができる。このため、一台の同じ機械で、紙葉の高速での計数に加えて、紙葉を計数しつつ一枚ずつ目視確認することが容易に可能となる。つまり、低速モードを選択して実行すれば、例えば、紙葉の表裏の方向が間違っているか否かを一枚ずつ目視確認したり、特に投票用紙において書かれている文字が間違っているか否かを一枚ずつ目視で確認したりできる。投票用紙において文字が間違っているか否かを目視で確認する場合、集積車７と札受台８との間で落差があり、上記のように札受台８がより水平に近い状態で構成される場合には、札受台８に集積される際に目視確認を行うように、文字側が上に向いて札受台８に集積されるようにホッパ１への紙葉のセット方向が決められる。他方、例えば集積車７と札受台８との間で落差が少なく札受台８の角度がある程度ある場合等、札受台８への集積時には目視確認が難しい場合には、集積車７の前部で上から下に移動する際に紙葉の文字が間違っているか否かを目視確認することも可能である。この場合、集積車７の前部で上から下に紙葉が移動する際に文字側が前方に向くようにホッパ１への紙葉のセット方向が決められることになる。すなわち、前者とは異なる方向にセットされることになる。
【００６７】
また、通常モードが選択されると、ＣＰＵ１０が、繰出手段３１による繰り出しの時間間隔を第１の繰出時間間隔とするとともに搬送手段３２による紙葉の搬送の速度を第１の搬送速度とし、低速モードが選択されると、ＣＰＵ１０が、繰出手段３１による繰り出しの時間間隔を第１の繰出時間間隔よりも長い第２の繰出時間間隔とするとともに、搬送の速度を第１の搬送速度よりも遅い第２の搬送速度とするため、簡単な制御で札受台８への紙葉の排出の時間間隔を変更可能となる。
【００６８】
また、ＣＰＵ１０が、操作手段１７への操作入力に基づいて低速モードでの第２の排出時間間隔を段階的に短くまたは長く切り換える。よって、低速モードでの第２の排出時間間隔を所望の間隔に調整することができ、個人個人で異なる目視に最適な排出の時間間隔に設定することができる。
【００６９】
また、ＣＰＵ１０は、低速モードでの繰出搬送手段３３による紙葉の繰り出し搬送中であっても、操作手段１７への操作入力に基づいて、第２の排出時間間隔を段階的に短くまたは長く切り換え可能であるため、紙葉の繰り出し搬送中に繰出搬送手段３３を一々停止させることなく、第２の排出時間間隔を所望の間隔に調整することができる。
【００７０】
また、低速モードでの繰出搬送手段３３による紙葉の繰り出し搬送中に、ＣＰＵ１０が、操作手段１７への操作入力に基づいて、繰出搬送手段３３による紙葉の繰り出し搬送を一旦停止させるため、例えば、紙葉の表裏の方向が間違っている紙葉を見つけたり、書かれている文字が間違っている紙葉を見つけたりしたときに、紙葉の繰り出し搬送を一旦停止させることができる。よって、見つけた紙葉を容易に排除することができる。
【００７１】
また、ＲＡＭ１２が、低速モードでの繰出搬送手段３３の動作条件を記憶するため、一々低速モードでの繰出搬送手段３３の動作条件を設定しなくとも、ＲＡＭ１２から読み出した動作条件で繰出搬送手段３３を動作させることができる。
【００７２】
また、低速モードが選択された状態では、表示手段１８が、低速モードである旨と第２の排出時間間隔に相当する情報とを表示するため、これらの情報を操作者に認識させることができる。よって、操作者による操作ミスを抑制することができる。
【００７３】
以上においては、低速モードが選択されると、ＣＰＵ１０が、繰出手段３１による繰り出しの時間間隔を通常モードの第１の繰出時間間隔よりも長い第２の繰出時間間隔とするとともに、搬送の速度を通常モードの第１の搬送速度よりも遅い第２の搬送速度として、札受台８への紙葉の排出の時間間隔を通常モードの第１の排出時間間隔よりも長い第２の排出時間間隔とする場合を例にとり説明した。これに限らず、低速モードにおいて、札受台８への紙葉の排出の時間間隔を通常モードの第１の排出時間間隔よりも長い第２の排出時間間隔とすれば良く、以下のような変更も可能である。
【００７４】
例えば、ガイドローラ２および繰出ローラ３を駆動する計数モータＭ１とは別に、加速ローラ６を駆動する搬送モータを設け、通常モードが選択されると、ＣＰＵ１０が、計数モータＭ１つまりガイドローラ２および繰出ローラ３の回転速度を速くして繰出手段３１によりホッパ１から紙葉を１枚ずつ分離して繰り出す繰り出しの時間間隔を第１の繰出時間間隔とする一方、低速モードが選択されると、計数モータＭ１つまりガイドローラ２および繰出ローラ３の回転速度を遅くして繰出手段３１によりホッパ１から紙葉を１枚ずつ分離して繰り出す繰り出しの時間間隔を第１の繰出時間間隔よりも長い第２の繰出時間間隔とする。そして、通常モードと低速モードとで搬送モータおよび集積車モータの回転速度はそれぞれ同じとして、搬送手段３２による紙葉の搬送の速度を、通常モードと低速モードとで同じする。これにより、搬送手段３２の紙葉の搬送の速度を可変とする必要がなくなり、さらなる制御の容易化が図れる。
【符号の説明】
【００７５】
１  ホッパ
５ａ，５ｂ  投受光器（計数手段）
８  札受台（受入手段）
１０  ＣＰＵ（選択手段，切換手段，停止手段）
１２  ＲＡＭ（記憶手段）
１７  操作手段
１８  表示手段
３１  繰出手段
３２  搬送手段
３３  繰出搬送手段
【図１】
2015103024.tif 000003
【図２】
2015103024.tif 000004
【図３】
2015103024.tif 000005
【図４】
2015103024.tif 000006